(57)【要約】【課題】点滴容器ホルダ１０の提供。【解決手段】人の肩に上から嵌合して装着される肩保持部材２と、人の上腕に嵌合して装着される上腕保持部材３と、上記肩保持部２と上記上腕保持部３とを着脱可能に連結するための連結部材４と、この上腕保持部３に装着された、点滴容器５を保持するための容器保持部材６とを備えており、この容器保持部材６が、上記上腕保持部３から伸縮可能に突設されており、この容器保持部材６の上端近傍に点滴容器５を取り付けるフック２１が形成されており、また、上記容器保持部材６が上腕保持部材３に対して傾動可能に構成されている。【選択図】図１
2012024502.tif 000002
【特許請求の範囲】
【請求項１】
人の肩に上から嵌合して装着される肩保持部材と、
人の上腕に嵌合して装着される上腕保持部材と、
上記肩保持部と上記上腕保持部とを着脱可能に連結するための連結部材と、
この上腕保持部に装着された、点滴容器を保持するための容器保持部材とを備えている点滴容器ホルダ。
【請求項２】
上記容器保持部材が、上記上腕保持部に伸縮可能に突設されており、この容器保持部材の上端近傍に点滴容器を取り付ける取付部が形成されている請求項１に記載の点滴容器ホルダ。
【請求項３】
上記容器保持部材が上腕保持部材に対して傾動可能に構成されている請求項２に記載の点滴容器ホルダ。
【請求項４】
上記肩保持部に、使用者の身体に固定するための第一固定ベルトが接続されている請求項１から３のうちのいずれかに記載の点滴容器ホルダ。
【請求項５】
上記上腕保持部に、使用者の装着された上腕に固定するための第二固定ベルトが接続されている請求項１から４のうちのいずれかに記載の点滴容器ホルダ。
【発明の詳細な説明】
【技術分野】
【０００１】
本発明は点滴容器ホルダに関する。さらに詳しくは、本発明は、点滴を行っている人の身体に近接した位置に点滴液の容器を支持しておくための点滴容器ホルダに関する。
【背景技術】
【０００２】
従来、点滴容器を患者の傍らに支持しておくために、点滴スタンドと呼ばれる支持具が用いられている。この点滴スタンドは、人の身長程度の高さの支柱と、この支柱の下端に放射状に形成された複数本の脚部とを備えている。各脚部の先端にはキャスタが取り付けられている。支柱の上端には、点滴容器を係止するためのフックが形成されている。この点滴スタンドは、安定性を得るために、脚部が相当重くされている。点滴を受けている患者は、常にこの点滴スタンドに近接していなければならず、移動する際にはこの点滴スタンドを押して歩く必要がある。
【０００３】
このような点滴スタンドは、以下のような問題を含んでいる。すなわち、上端に点滴容器をぶら下げおくため、不安定となる。非力な人にとっては押して歩くことが厄介である。段差のあるところや、狭い通路を走行するのが困難である。走行する際に騒音が発生することがある。病院等において、多くの点滴スタンドを保管するために広いスペースが必要となる。
【発明の概要】
【発明が解決しようとする課題】
【０００４】
本発明は、以上の現状に鑑みてなされたものであり、点滴容器を使用者の傍らに安定した状態で保持することができる、軽量且つ取り扱いの容易な点滴容器ホルダを提供することを目的としている。
【課題を解決するための手段】
【０００５】
本発明に係る点滴容器ホルダは、
人の肩に上から嵌合して装着される肩保持部材と、
人の上腕に嵌合して装着される上腕保持部材と、
この肩保持部と上腕保持部とを着脱可能に連結するための連結部材と、
この上腕保持部に装着された、点滴容器を保持するための容器保持部材とを備えている。
【０００６】
かかる構成によれば、上腕保持部材が、単独で又は肩保持部材と連結した状態で使用者の身体に装着される。そして、点滴容器が容器保持部材に保持させられる。かかる態様により、点滴容器が使用者に携行される。
【０００７】
上記容器保持部材が、上記上腕保持部に伸縮可能に突設されており、この容器保持部材の上端近傍に、点滴容器を取り付ける取付部が形成されているのが好ましい。使用者の身体の大小等に対応しうるからである。
【０００８】
上記容器保持部材が上腕保持部材に対して傾動可能に構成されているのが好ましい。例えば、高齢のために使用者の上半身が前方へ湾曲している場合等において、容器保持部材が鉛直方向に向くように調節しうるからである。
【０００９】
上記肩保持部に、使用者の身体に固定するための第一固定ベルトが接続されていてもよい。
【００１０】
上記上腕保持部に、使用者の装着された上腕に固定するための第二固定ベルトが接続されていてもよい。
【発明の効果】
【００１１】
本発明に係る点滴容器ホルダは、使用者の身体に固定されるので、使用者が移動することができるところであれば、ほとんど問題なく付随して搬送することができる。しかも、軽量且つ取り扱いが容易である。
【図面の簡単な説明】
【００１２】
【図１】図１は、本発明に係る点滴容器ホルダの一実施形態を横から見た斜視図である。
【図２】図２は、図１の点滴容器ホルダの正面図である。
【図３】図３は、図１の点滴容器ホルダの縦断面図、すなわち、図２のＩＩＩ−ＩＩＩ線に沿った断面図である。
【図４】図４は、図１の点滴容器ホルダにおける、容器保持部材を上腕保持部材に対して傾動可能に固定する固定部の一例を示す組み立て前斜視図である。
【図５】図５は、図１の点滴容器ホルダにおける、容器保持部材の伸縮機構の一例を示す縦断面図である。
【図６】図６は、図１の点滴容器ホルダにおける、容器保持部材の伸縮機構の他の例を示す縦断面図である。
【発明を実施するための形態】
【００１３】
以下、適宜図面が参照されつつ、好ましい実施形態に基づいて本発明が詳細に説明される。
【００１４】
図１〜図３に示された点滴容器ホルダ（以下、単にホルダという）１は、人の肩に上から嵌合して装着される肩保持部材２と、人の上腕に嵌合して装着される上腕保持部材３と、肩保持部２と上腕保持部３とを着脱可能に連結するための連結部材４と、この上腕保持部３に装着された、点滴容器５を保持するための容器保持部材６とを備えている。図３には、容器保持部材６の図示が省略されている。
【００１５】
肩保持部材２は、人の肩の上から上腕の最上部までを外から覆う形状、すなわち、概ね部分球殻状を呈している。この肩保持部材２は、少なくとも二層から構成されている。外側の外殻層１０は、わずかな可撓性を有し、且つ、その形状を保持しうる合成樹脂等から形成されている。内側の緩衝層１１は、柔軟且つ弾力性を有する発泡ウレタン、スポンジ状ゴム、不織布等から形成されている。外殻層１０と緩衝層１１とは、相互にずれることの無いように、接着剤、鋲等によって接合されている。外殻層１０と緩衝層１１とは、面ファスナ、スナップ等によって互いに分離可能にされていてもよい。
【００１６】
肩保持部材２には、使用者の身体に固定するための第一固定ベルト１２が連結されている。この第一固定ベルト１２は、その端部がそれぞれ外殻層１０の左右両端部に、ベルト連結具１３を介して着脱可能に連結されている。このベルト連結具１３はワンタッチのバックルであり、硬質合成樹脂等の弾力性のある素材から構成されている。外殻層１０の左右両端部は、肩保持部材２を使用者の肩に装着したときに胸側となる部分及び背中側となる部分である。これは、上腕保持部材３についても同じである。この第一固定ベルト１２は、その長さが調節可能に構成されている。この第一固定ベルト１２のベルト部分は、ある程度の伸縮性を有した素材からなる。この第一固定ベルト１２は、使用者の、肩保持部材２が嵌合された肩とは反対側の脇の下を通って胸回りにぴったりと装着されうる。
【００１７】
上腕保持部材３は、人の上腕を外から覆う形状、すなわち、概ね半円筒筒状を呈している。この上腕保持部材３は、上記肩保持部材２と同様に、少なくとも二層から構成されている。外側の外筒層１４は、わずかな可撓性を有し、且つ、その形状を保持しうる合成樹脂等から形成されている。しかし、上記肩保持部材２の外殻層１０よりはわずかに柔軟に形成されている。これは、後述するように、肩保持部材２が使用者の上腕に、その太さに拘わらず、第二固定ベルト１６によってしっかりと縛り付けられるようにするためである。内側の緩衝層１５は、上記肩保持部材２の緩衝層１１と同様な素材から形成されている。外筒層１４と緩衝層１５とは、相互にずれることの無いように接合されている。外筒層１４と緩衝層１５とは、面ファスナ、スナップ等によって互いに分離可能にされていてもよい。
【００１８】
上腕保持部材３には、使用者の上腕に固定するための第二固定ベルト１６が連結されている。この第二固定ベルト１６は、その端部がそれぞれ外筒層１４の左右両端部に固定されている。この連結は着脱可能であってもよい。本実施形態に係る第二固定ベルト１６は、図２に示されるように、外筒層１４の前側に固定された左片１６ａと、後側に固定された右片１６ｂとからなる。この左片１６ａ及び右片１６ｂにはそれぞれ面ファスナが貼着されている。従って、左片１６ａと右片１６ｂとは、互いの任意の部位同士が接合されうる。その結果、柔軟な上腕保持部材３は外力に応じて撓み、使用者の上腕に対して、上腕の太さに拘わらず、第二固定ベルト１６によってしっかりと縛り付けられうる。第二固定ベルト１６には伸縮性はとくに要求されない。外筒層１４が柔軟だからである。この第二固定ベルト１６は、とくに左右の二片からなる構成に限定されない。外筒層１４の左右のいずれか一端部に取り付けられた一本のベルトが用いられてもよい。ベルトの先端部及び中間部に対応する面ファスナが設けられる。このベルトは、外筒層１４の他端部に取り付けられたリングを通して折り返され、面ファスナによって締結される。
【００１９】
上記肩保持部材２と上腕保持部材３とを連結している連結部材４には、上記第一固定ベルト１２と同様の伸縮可能な素材から形成されたベルト（以下、連結ベルトという）１７が採用されている。本実施形態では、図２に示されるように、３本の連結ベルト１７が並列に配列されているが、ベルトの本数は限定されない。例えば、幅の広い一本のベルトも採用されうる。この連結ベルト１７は、その上端が肩保持部材２の下端に固定され、下端が着脱可能なベルト連結具１８を介して上腕保持部材３の上端に連結されている。このベルト連結具１８はワンタッチのバックルであり、硬質合成樹脂等の弾力性のある素材から構成されている。連結ベルト１７は、その両端が肩保持部材２及び上腕保持部材３の双方に着脱可能に連結されてもよい。又は、連結ベルト１７の下端が上腕保持部材３に固定され、上端がベルト連結具１８を介して肩保持部材２に着脱可能に連結されてもよい。
【００２０】
かかる構成により、使用者は、肩保持部材２と上腕保持部材３とを分離し、上腕保持部材３のみを身体に取り付けることができる。点滴時間が短いときには、このように上腕保持部材３のみを使用する方が操作が簡単である。点滴時間が長いときには、肩保持部材２も併せて使用し、肩で重量の大部分を支える方が使用者にとって楽である。かかる観点からは、連結ベルト１７は上腕保持部材３に対して着脱可能にされるのが好ましい。
【００２１】
前述したように、上腕保持部材３には容器保持部材６が装着されている。この容器保持部材６は、上腕保持部材３の外面の中央からやや下方の部位に、ほぼ接線を含む面内に回動可能に取り付けられた基部１９と、この基部１９に対して伸縮可能に接続された角筒状の支柱部２０とを有している。支柱部２０の上端には、袋状の点滴容器５を係止するための取付部（フック）２１が形成されている。本実施形態では２つのフック２１が形成されているが、フックの個数は限定されない。
【００２２】
上記基部１９は、旋回部２２と、この旋回部２２を上腕保持部材３に対して任意角度位置に傾斜させて固定するための固定部２３と、上記旋回部２２に突設された角筒状の案内管２４とを有している。案内管２４は、上腕保持部材３の外面のほぼ上向きの接線方向に延びている。この角筒状の案内管２４内に、上記角筒状の支柱部２０がテレスコピックに挿入されている。その結果、容器保持部材６は伸縮可能に構成される。上記旋回部２２は概ね円板状を呈しており、その中央部に貫通孔２２ａが形成されている。
【００２３】
図４も併せて参照すれば明らかなように、上記固定部２３は、上腕保持部材３の外面に固定された円板状の第一挟持板２５と、中央に貫通孔２６ａが形成された円板状の第二挟持板２６と、上記第一挟持板２５の中央に突設されて上記両貫通孔２２ａ、２６ａに挿通されうるねじ棒２７と、このねじ棒２７に螺着される雌ねじが形成された止めねじ２８とを有している。上記ねじ棒２７には、まず旋回部２２が挿通される。次いで、第二挟持板２６が、この旋回部２２を上記第一挟持板２５とで挟むように、ねじ棒２７に挿通される。次いで、止めねじ２８が、第一挟持板２５とで旋回部２２と第二挟持板２６とを挟圧するように、締め込まれる。
【００２４】
上記第一挟持板２５及び第二挟持板２６の旋回部２２に対向する面には、多数本の放射状の溝が形成されている。これは、上記旋回部２２が、摩擦力によって安定して挟持されうるためである。旋回部２２の表裏両面にも放射状の溝が形成されていてもよい。また、上記溝に代えて又はこの溝とともに、第一挟持板２５及び第二挟持板２６の旋回部２２に対向する面が、摩擦係数の高いゴム等の素材から形成されていてもよい。上記止めねじ２８が緩められ、案内管２４が上腕保持部材３に対して任意の角度に傾斜するように旋回させられ、再度止めねじ２８が締め込められれば、案内管２４は、ひいては容器保持部材６は、上腕保持部材３に対して任意の角度位置に固定されうる。
【００２５】
上腕保持部材３の外面における、案内管２４の左右の最大傾斜位置それぞれに、ストッパ２９が取り付けられている。この両ストッパ２９同士を結ぶように、上記ねじ棒２７の位置を中心とした円弧状のガイドレール３０が形成されている。このガイドレール３０は、案内管２４の外側に延設されている。この構成により、案内管２４が上腕保持部材３の外面とガイドレール３０との間に挟まれるので、案内管２４及び支柱部２０の外方への倒れが防止されうる。かかる構成により、案内管２４は、ひいては容器保持部材６は、上腕保持部材３に対して安定した状態で、上腕保持部材３の左右方向に傾斜され、任意の角度位置に至ることができる。さらに、上記ストッパ２９により、容器保持部材６が、所定の最大角度位置を超えて傾斜することが防止される。
【００２６】
上記支柱部２０は、案内管２４への複数の挿入位置それぞれにおいて固定可能にされている。支柱部２０と案内管２４との具体的な伸縮機構においては、図５に示されるように、案内管２４には、その長手方向に沿った一直線上に間隔をおいて複数の係合孔３２が形成されている。支柱部２０には、上記係合孔３２に係合離脱が可能な係合部３３が設けられている。係合部３３は、支柱部２０の下端からわずかに上方に形成されている。この係合部３３を操作するための操作部３４は、支柱部２０の上端からわずかに下方に形成されている。図５には、フック２１の図示が省略されている。
【００２７】
図５に示されるように、上記係合部３３は、支柱部２０の内部に、その長手方向に対して垂直な方向に移動可能に収容された係合片３５を有している。係合片３５の先端部３５ａに対向する支柱部２０の部位には、貫通孔３１が形成されている。係合片３５の後端３５ｂと、支柱部２０の内面との間には、圧縮コイルばね３６が装着されている。この圧縮コイルばね３６の付勢力により、係合片３５は貫通孔３１を通して外方へ弾力的に突出している。外方へ突出したこの係合片３５の先端部３５ａは、案内管２４の上記係合孔３２に係合しうる。
【００２８】
係合片３５の上面には、後端に向けて上方に傾斜した傾斜面３５ｃが形成されている。この傾斜面３５ｃには、上記操作部３４の押圧部材３７が当接している。押圧部材３７の下面には、上記傾斜面３５ｃに面接触しうる傾斜面３７ａが形成されている。操作部３４は、支柱部２０の内部に挿通された操作棒３８と、この操作棒３８の下端に形成された上記押圧部材３７と、操作棒３８の上端に形成された操作片３９とを有している。操作棒３８は、押圧部材３７及び操作片３９と一体で、支柱部２０の長手方向に移動可能である。操作片３９には、操作ボタン４０が固定されている。この操作ボタン４０は、支柱部２０の上端近傍に長手方向に形成されたスロット４１を通して外部に露出している。操作片３９の下端には、支柱部２０の内部に形成された棚部４２との間に、コイルばね４３が装着されている。操作ボタン４０は、操作片３９の上端に接続されて、支柱部２０の上端から露出していてもよい。
【００２９】
外力が作用しない自然状態（図５（ａ））では、コイルばね４３の復元力により、上記押圧部材３７は係合片３５を下方に押圧してはいない。人が、このコイルばね４３を圧縮させながら操作ボタン４０を押し下げれば（図５（ｂ））、操作棒３８を介して押圧部材３７の傾斜面３７ａが係合片３５の傾斜面３５ｃを下方に押圧する。そうすると、係合片３５は上記圧縮コイルばね３６を圧縮しながら、後方（図５中の右方）へ移動する。そうすると、係合片３５の先端部３５ａは、案内管２４の上記係合孔３２から抜け出て、係合孔３２との係合が解除される。この状態で、支柱部２０は、案内管２４に対してその長手方向に自由に移動することができる。そして、係合片３５が異なる係合孔３２に係合することにより、容器保持部材６の長さが調節されうる。
【００３０】
図６には、支柱部２０と案内管２４との他の伸縮機構が示されている。図６には、フック２１の図示が省略されている。この伸縮機構は、案内管２４の上端に固定された管状の固定部材４４と、この固定部材４４にピン４５によって回動可能に取り付けられた係合アーム４６と、支柱部２０に形成された複数個の係合孔４７とを有している。係合アーム４６は、ピン４５を挟んで係合突起４６ａと、人の手指で押し操作するための押圧部４６ｂとを備えている。係合突起４６ａは、上記係合孔４７に、対向する位置にあり且つ係合しうる形状に形成されている。固定部材４４におけるピン４５の回りには、係合アーム４６の係合突起４６ａを係合孔４７に係合せしめるように、押圧部４６ｂに作用する弾性部材としての捻りコイルばね４８が装着されている。符号４９は、固定部材４４を案内管２４に固定するための固定ピンである。
【００３１】
係合突起４６ａが係合孔４７に係合しているときには、支柱部２０は案内管２４に対して移動することができない。捻りコイルばね４８の復元力に抗して押圧部４６ｂが押されると、係合突起４６ａが係合孔４７から脱出して係合が解かれる。そうすると、支柱部２０は案内管２４に対して自由に進退することができる。この状態で、使用者は、任意の係合孔４７を選択して係合突起４６ａを係合させることにより、支柱部２０を、案内管２４への異なる挿入位置に固定することができる。
【００３２】
本実施形態では、容器保持部材６は一本の案内管２４と一本の支柱部２０とを有している。しかし、かかる構成には限定されない。例えば、二本の案内管と、支柱に代えた門形フレームとが採用されてもよい。この場合、二本の案内管それぞれに、上記門形フレームの二本の脚部が位置調節可能に挿入される。また、案内管２４と支柱部２０との二段式伸縮機構にも限定されない。三段以上の伸縮機構であってもよい。
【００３３】
本実施形態では、支柱部２０の上端に、袋状の点滴容器５を係止するためのフック２１が形成されている。しかし、フックには限定されない。例えば、点滴液が充填されたガラス瓶を保持するために、大小の二つの保持リングが採用されてもよい。すなわち、支柱部２０の上部に、下向きにされた瓶の胴部を取り巻く大径のリングが固定される。支柱部２０上の上記大径リングの下方の部分には、上記瓶の首部を取り巻く小径のリングが固定される。この小径のリングが瓶の自重を支持する。
【産業上の利用可能性】
【００３４】
本発明に係る点滴容器ホルダは、使用者がこれを携行して移動するような使用にとって有用である。
【符号の説明】
【００３５】
１・・・ホルダ
２・・・肩保持部材
３・・・上腕保持部材
４・・・連結部材
５・・・点滴容器
６・・・容器保持部材
１０・・・外殻層
１１・・・緩衝層
１２・・・第一固定ベルト
１３・・・ベルト連結具
１４・・・外筒層
１５・・・緩衝層
１６・・・第二固定ベルト
１７・・・連結ベルト
１８・・・ベルト連結具
１９・・・基部
２０・・・支柱部
２１・・・フック
２２・・・旋回部
２３・・・固定部
２４・・・案内管
２５・・・第一挟持板
２６・・・第二挟持板
２７・・・ねじ棒
２８・・・止めねじ
２９・・・ストッパ
３０・・・ガイドレール
３１・・・貫通孔
３２・・・係合孔
３３・・・係合部
３４・・・操作部
３５・・・係合片
３６・・・圧縮コイルばね
３７・・・押圧部材
３８・・・操作棒
３９・・・操作片
４０・・・操作ボタン
４１・・・スロット
４２・・・棚部
４３・・・コイルばね
４４・・・固定部材
４５・・・ピン
４６・・・係合アーム
４７・・・係合孔
４８・・・捻りコイルばね
４９・・・固定ピン
【図１】
2012024502.tif 000003
【図２】
2012024502.tif 000004
【図３】
2012024502.tif 000005
【図４】
2012024502.tif 000006
【図５】
2012024502.tif 000007
【図６】
2012024502.tif 000008